(57)【特許請求の範囲】
【請求項１】
任意の形状の陰刻からなる空洞が形成される金型を準備する段階と、
金型の空洞の体積より多い熱可塑性合成樹脂材料を前記金型の空洞に充填する段階と、
金型を加圧した状態で熱を加える段階と、
加えられる熱によって、金型の空洞に充填された熱可塑性合成樹脂材料が溶融すると、加圧を解除し、金型を開放する段階と、
開放された金型内の溶融状態である熱可塑性合成樹脂材料の中から、金型の空洞に充填された部分以外の材料を除去する段階と、
熱可塑性合成樹脂材料が空洞に充填されている金型の上面に、織物またはホットメルトの中から選ばれるいずれか一つを配置する段階と、
金型を加圧した状態で冷却させ、前記織物またはホットメルトの中から選ばれるいずれか一つに接している熱可塑性合成樹脂材料を、前記織物またはホットメルトの中から選ばれるいずれか一つと一体化させる段階とを含んでなることを特徴とする、熱可塑性合成樹脂製品の製造方法。
【請求項２】
任意の形状の陰刻からなる複数の空洞が形成される金型を準備する段階と、
金型の一部の空洞に、その空洞の体積より多い第１熱可塑性合成樹脂材料を充填する段階と、
金型を加圧した状態で熱を加える段階と、
加えられる熱によって金型の第１熱可塑性合成樹脂材料が溶融すると、加圧を解除し、金型を開放する段階と、
開放された金型内の溶融状態である第１熱可塑性合成樹脂材料の中から、金型の空洞に充填された部分以外の材料を除去する段階と、
前記金型の空洞のうち、溶融状態である第１熱可塑性合成樹脂材料が充填されていない空き補助空洞に、前記第１熱可塑性合成樹脂材料とは色相が異なる或いは色相および物性が異なる第２熱可塑性合成樹脂材料を充填する段階と、
金型を加圧した状態で熱を加える段階と、
加えられた熱によって第２熱可塑性合成樹脂材料が溶融すると、加圧を解除し、前記金型を開放する段階と、
開放された金型内の溶融状態である第２熱可塑性合成樹脂材料のうち、金型の空洞に充填された部分以外の第２熱可塑性合成樹脂材料を除去する段階と、
第１熱可塑性合成樹脂材料および第２熱可塑性合成樹脂材料がそれぞれの空洞に充填されている金型の上面に、織物またはホットメルトの中から選ばれるいずれか一つを配置する段階と、
金型を加圧した状態で冷却させ、前記織物またはホットメルトの中から選ばれるいずれか一つに接している第１熱可塑性合成樹脂材料および第２熱可塑性合成樹脂材料を、前記織物またはホットメルトの中から選ばれるいずれか一つと一体化させる段階とを含んでなることを特徴とする、熱可塑性合成樹脂製品の製造方法。
【請求項３】
任意の形状の陰刻からなる複数の空洞が形成される金型を準備する段階と、
金型の空洞に、その空洞の体積より少ない第１熱可塑性合成樹脂材料を先に充填した後、その上部に残りの空洞の体積より多い第２熱可塑性合成樹脂材料を充填する段階と、
金型を加圧した状態で熱を加える段階と、
加えられる熱によって金型の第１熱可塑性合成樹脂材料および第２熱可塑性合成樹脂材料それぞれが溶融すると、加圧を解除し、金型を開放する段階と、
開放された金型内の溶融状態である第２熱可塑性合成樹脂材料のうち、金型の空洞に充填された部分以外の第２熱可塑性合成樹脂材料を除去する段階と、
第１熱可塑性合成樹脂材料および第２熱可塑性合成樹脂材料がそれぞれの空洞に順次充填されている金型の上面に、織物またはホットメルトの中から選ばれるいずれか一つを配置する段階と、
金型を加圧した状態で冷却させ、第２熱可塑性合成樹脂材料の両側に接している前記第１熱可塑性合成樹脂材料、および前記織物またはホットメルトの中から選ばれるいずれか一つを前記第２熱可塑性合成樹脂材料と一体化させる段階とを含んでなることを特徴とする、熱可塑性合成樹脂製品の製造方法。
【請求項４】
任意の形状の陰刻からなる空洞が形成される第１金型を少なくとも２つ準備する段階と、
各第１金型の空洞の体積より多い熱可塑性合成樹脂材料を前記第１金型の空洞に充填する段階と、
各第１金型を加圧した状態で熱を加える段階と、
加えられる熱によって各第１金型の熱可塑性合成樹脂材料が溶融すると、加圧を解除し、各第１金型を開放する段階と、
開放された各第１金型内の溶融状態である熱可塑性合成樹脂材料のうち、各第１金型の空洞に充填された部分以外の熱可塑性合成樹脂材料を除去する段階と、
熱可塑性合成樹脂材料が空洞に充填された各第１金型を、任意の形状の空洞からなる内部空間が備えられる第２金型の空洞に位置させる段階と、
第２金型の空洞に位置し、熱可塑性合成樹脂材料が空洞に充填されている第１金型の上面に、織物またはホットメルトの中から選ばれるいずれか一つを配置する段階と、
第２金型を加圧した状態で冷却させ、前記織物またはホットメルトの中から選ばれるいずれか一つに接している各第１金型の熱可塑性合成樹脂材料を前記織物またはホットメルトの中から選ばれるいずれか一つと一体化させる段階とを含んでなることを特徴とする、熱可塑性合成樹脂製品の製造方法。
【請求項５】
任意の形状の陰刻からなる空洞が形成される金型を少なくとも２つ準備する段階と、
各金型の空洞の体積より多く、互いに色相が異なる或いは色相および物性が異なる熱可塑性合成樹脂材料を前記各金型の空洞に充填する段階と、
各金型を加圧した状態で熱を加える段階と、
加えられる熱によって各金型の熱可塑性合成樹脂材料が溶融すると、加圧を解除し、各金型を開放する段階と、
開放された各金型内の溶融状態である熱可塑性合成樹脂材料のうち、各金型の空洞に充填された部分以外の熱可塑性合成樹脂材料を除去する段階と、
熱可塑性合成樹脂材料が空洞に充填されているいずれか一つの金型の上面に、織物またはホットメルトの中から選ばれるいずれか一つを配置する段階と、
前記織物またはホットメルトの中から選ばれるいずれか一つを挟んで空洞に充填された熱可塑性合成樹脂材料が対向した状態で金型を合型する段階と、
合型された金型を加圧した状態で冷却させ、織物またはホットメルトの中から選ばれるいずれか一つに接している各金型の熱可塑性合成樹脂材料を、前記織物またはホットメルトの中から選ばれるいずれか一つと一体化させる段階とを含んでなることを特徴とする、熱可塑性合成樹脂製品の製造方法。
【請求項６】
前記各第１金型に充填される熱可塑性合成樹脂材料は、互いに色相が異なる或いは色相および物性が異なるように構成されることを特徴とする、請求項４に記載の熱可塑性合成樹脂製品の製造方法。
【請求項７】
前記第１熱可塑性合成樹脂はホットメルトからなることを特徴とする、請求項３に記載の熱可塑性合成樹脂製品の製造方法。
【請求項８】
金型の空洞に充填された部分以外の材料除去は、金型を冷却させた後、加熱された除去手段によって行われることを特徴とする、請求項１に記載の熱可塑性合成樹脂製品の製造方法。
【発明の詳細な説明】
【技術分野】
【０００１】
本発明は、熱可塑性合成樹脂製品の製造方法に係り、特に、任意の形状の陰刻からなる空洞が形成される金型を準備する段階と、金型の空洞の体積より多い熱可塑性合成樹脂材料を前記金型の空洞に充填する段階と、金型を加圧した状態で熱を加える段階と、加えられる熱によって、金型の空洞に充填された熱可塑性合成樹脂材料が溶融すると、加圧を解除し、金型を開放する段階と、開放された金型内の溶融状態である熱可塑性合成樹脂材料の中から、金型の空洞に充填された部分以外の材料を除去する段階と、熱可塑性合成樹脂材料が空洞に充填されている金型の上面に、織物またはホットメルトの中から選ばれるいずれか一つを配置する段階と、金型を加圧した状態で冷却させ、前記織物またはホットメルトの中から選ばれるいずれか一つに接している熱可塑性合成樹脂材料を、前記織物またはホットメルトの中から選ばれるいずれか一つと一体化させる段階とを含んでなることを特徴とする、熱可塑性合成樹脂製品の製造方法に関する。
【背景技術】
【０００２】
熱可塑性合成樹脂は、通常、熱を加えると、分子結合が切れて流動性を有し、溶けて形態を変化させることができ、熱を加えて溶かした後に温度が降温すると、固まってさらに形態を作ることができるため、リサイクルが可能であるという特徴がある。近年、スポーツおよび各種家電製品の保護ケース分野において、このような熱可塑性合成樹脂成形品を織物と連携させて様々な形態の衝撃防止用緩衝製品が提示されている。
【０００３】
熱可塑性合成樹脂成形品を織物と連携させる代表的な方法は、接着剤を用いる方法である。この方法は、非常に単純で、誰でも容易に作業することができるという利点はあるものの、複雑な作業工程および高い不良率を有するうえ、環境汚染をもたらすおそれがあるため、その適用範囲がますます減っている。よって、その代案として、たとえば日本特開平０９−００１５８６号や韓国特許公開第２００２−００４２５５９号などが、金型を用いて織物と熱可塑性合成樹脂材料とを一体化させる方法を提示している。
【０００４】
この方法は、最終製品の形状に対応する空洞が備えられる金型を準備し、準備された金型の空洞に織物を収めた後、金型を密閉し、しかる後に、織物と金型の空洞との間の空間に、溶融した熱可塑性合成樹脂材料を充填し、織物と合成樹脂材料とを一体化させる。すなわち、冷却した（または冷却させて）金型の内部に熱可塑性合成樹脂材料を射出方式で注入する方式であって、成形品を金型の空洞形状に量産することが可能であるという特徴がある。
【０００５】
ところが、この方式は、一定の温度以上を維持している流動性の熱可塑性合成樹脂を、相対的に低い温度を維持する金型に注入させ、金型の空洞の形状に冷却成形するという点で、溶融した熱可塑性合成樹脂が金型の空洞の空間を完全に充填しない場合或いはこれと逆に金型の空洞の空間以上に注入される場合には不良が発生するという問題がある。さらに、これは最終的に製品自体を回復することができない不良状態であるから、これに対する改善方案が至急求められる。
【発明の概要】
【発明が解決しようとする課題】
【０００６】
本発明は、上述したような問題点を解決するために提案されたもので、その目的は、複数の個別熱可塑性合成樹脂材料を縁部からの材料こぼれ現象なしで織物またはホットメルトの表面に容易に表現することができる、熱可塑性合成樹脂製品の製造方法を提供することにある。
【０００７】
本発明の他の目的は、熱可塑性合成樹脂材料の形状的特性および材料的特性に制限されることなく、視覚的に、各色相別熱可塑性合成樹脂間の色相的な相互境界範囲が明確に区分されるか、或いは熱可塑性合成樹脂材料と織物またはホットメルトとの材料的な相互境界範囲が明確に区分される熱可塑性合成樹脂製品を提供することにある。
【０００８】
本発明の別の目的は、裁断刃を用いて熱可塑性合成樹脂を一定の形状に裁断し、接着剤でこれらを織物の上面に付着させることなく金型の成形工程のみで織物と熱可塑性合成樹脂とを一体化させることが可能な製造方法を提供することにある。
【０００９】
本発明の別の目的は、使用される金型の形状および熱可塑性合成樹脂材料の諸般要素にこだわらず、いかなる厚さおよびデザインの熱可塑性合成樹脂でも織物またはホットメルトと一体型に製造することが可能な方法を提供することにある。
【００１０】
本発明の別の目的は、熱可塑性合成樹脂がホットメルトと一体に製造され、加熱によって被接着物に容易に接着できるようにする方法を提供することにある。
【課題を解決するための手段】
【００１１】
上記目的を達成するために、本発明は、任意の形状の陰刻からなる空洞が形成される金型を準備する段階と、金型の空洞の体積より多い熱可塑性合成樹脂材料を前記金型の空洞に充填する段階と、金型を加圧した状態で熱を加える段階と、加えられる熱によって、金型の空洞に充填された熱可塑性合成樹脂材料が溶融すると、加圧を解除し、金型を開放する段階と、開放された金型内の溶融状態である熱可塑性合成樹脂材料の中から、金型の空洞に充填された部分以外の材料を除去する段階と、熱可塑性合成樹脂材料が空洞に充填されている金型の上面に、織物またはホットメルトの中から選ばれるいずれか一つを配置する段階と、金型を加圧した状態で冷却させ、前記織物またはホットメルトの中から選ばれるいずれか一つに接している熱可塑性合成樹脂材料を、前記織物またはホットメルトの中から選ばれるいずれか一つと一体化させる段階とを含んでなることをその技術的特徴とする。
【００１２】
また、本発明は、任意の形状の陰刻からなる複数の空洞が形成される金型を準備する段階と、金型の一部の空洞に、その空洞の体積より多い第１熱可塑性合成樹脂材料を充填する段階と、金型を加圧した状態で熱を加える段階と、加えられる熱によって金型の第１熱可塑性合成樹脂材料が溶融すると、加圧を解除し、金型を開放する段階と、開放された金型内の溶融状態である第１熱可塑性合成樹脂材料の中から、金型の空洞に充填された部分以外の材料を除去する段階と、前記金型の空洞のうち、溶融状態である第１熱可塑性合成樹脂材料が充填されていない空き補助空洞に、前記第１熱可塑性合成樹脂材料とは色相が異なる或いは色相および物性が異なる第２熱可塑性合成樹脂材料を充填する段階と、金型を加圧した状態で熱を加える段階と、加えられた熱によって第２熱可塑性合成樹脂材料が溶融すると、加圧を解除し、前記金型を開放する段階と、開放された金型内の溶融状態である第２熱可塑性合成樹脂材料のうち、金型の空洞に充填された部分以外の第２熱可塑性合成樹脂材料を除去する段階と、第１熱可塑性合成樹脂材料および第２熱可塑性合成樹脂材料がそれぞれの空洞に充填されている金型の上面に、織物またはホットメルトの中から選ばれるいずれか一つを配置する段階と、金型を加圧した状態で冷却させ、前記織物またはホットメルトの中から選ばれるいずれか一つに接している第１熱可塑性合成樹脂材料および第２熱可塑性合成樹脂材料を、前記織物またはホットメルトの中から選ばれるいずれか一つと一体化させる段階とを含んでなることを他の技術的特徴とする。
【００１３】
また、本発明は、任意の形状の陰刻からなる複数の空洞が形成される金型を準備する段階と、金型の空洞に、その空洞の体積より少ない第１熱可塑性合成樹脂材料を先に充填した後、その上部に残りの空洞の体積より多い第２熱可塑性合成樹脂材料を充填する段階と、金型を加圧した状態で熱を加える段階と、加えられる熱によって金型の第１熱可塑性合成樹脂材料および第２熱可塑性合成樹脂材料それぞれが溶融すると、加圧を解除し、金型を開放する段階と、開放された金型内の溶融状態である第２熱可塑性合成樹脂材料のうち、金型の空洞に充填された部分以外の第２熱可塑性合成樹脂材料を除去する段階と、第１熱可塑性合成樹脂材料および第２熱可塑性合成樹脂材料がそれぞれの空洞に順次充填されている金型の上面に、織物またはホットメルトの中から選ばれるいずれか一つを配置する段階と、金型を加圧した状態で冷却させ、第２熱可塑性合成樹脂材料の両側に接している前記第１熱可塑性合成樹脂材料、および前記織物またはホットメルトの中から選ばれるいずれか一つを前記第２熱可塑性合成樹脂材料と一体化させる段階とを含んでなることを別の技術的特徴とする。
【００１４】
また、本発明は、任意の形状の陰刻からなる空洞が形成される第１金型を少なくとも２つ準備する段階と、各第１金型の空洞の体積より多い熱可塑性合成樹脂材料を前記第１金型の空洞に充填する段階と、各第１金型を加圧した状態で熱を加える段階と、加えられる熱によって各第１金型の熱可塑性合成樹脂材料が溶融すると、加圧を解除し、各第１金型を開放する段階と、開放された各第１金型内の溶融状態である熱可塑性合成樹脂材料のうち、各第１金型の空洞に充填された部分以外の熱可塑性合成樹脂材料を除去する段階と、熱可塑性合成樹脂材料が空洞に充填された各第１金型を、任意の形状の空洞からなる内部空間が備えられる第２金型の空洞に位置させる段階と、第２金型の空洞に位置し、熱可塑性合成樹脂材料が空洞に充填されている第１金型の上面に、織物またはホットメルトの中から選ばれるいずれか一つを配置する段階と、第２金型を加圧した状態で冷却させ、前記織物またはホットメルトの中から選ばれるいずれか一つに接している各第１金型の熱可塑性合成樹脂材料を、前記織物またはホットメルトの中から選ばれるいずれか一つと一体化させる段階とを含んでなることを別の技術的特徴とする。
【００１５】
また、本発明は、任意の形状の陰刻からなる空洞が形成される金型を少なくとも２つ準備する段階と、各金型の空洞の体積より多く、互いに色相が異なる或いは色相および物性が異なる熱可塑性合成樹脂材料を前記各金型の空洞に充填する段階と、各金型を加圧した状態で熱を加える段階と、加えられる熱によって各金型の熱可塑性合成樹脂材料が溶融すると、加圧を解除し、各金型を開放する段階と、開放された各金型内の溶融状態である熱可塑性合成樹脂材料のうち、各金型の空洞に充填された部分以外の熱可塑性合成樹脂材料を除去する段階と、熱可塑性合成樹脂材料が空洞に充填されているいずれか一つの金型の上面に、織物またはホットメルトの中から選ばれるいずれか一つを配置する段階と、前記織物またはホットメルトの中から選ばれるいずれか一つを挟んで空洞に充填された熱可塑性合成樹脂材料が対向した状態で金型を合型する段階と、合型された金型を加圧した状態で冷却させ、織物またはホットメルトの中から選ばれるいずれか一つに接している各金型の熱可塑性合成樹脂材料を、前記織物またはホットメルトの中から選ばれるいずれか一つと一体化させる段階とを含んでなることを別の技術的特徴とする。
【００１６】
前記各第１金型に充填される熱可塑性合成樹脂材料は、互いに色相が異なる或いは色相および物性が異なるように構成されることが好ましい。
【００１７】
前記第１熱可塑性合成樹脂はホットメルトからなってもよい。
【発明の効果】
【００１８】
本発明は、特定の色相、または特定の色相および物性の熱可塑性合成樹脂材料が溶融し始める時点に金型を開放し、意図する金型の空洞空間ではなく不要な部位の材料のみを効果的に除去することができるため、従来とは異なり接着剤を使用したり裁縫をしたりすることなく、様々な色相およびデザインからなる高品質の熱可塑性合成樹脂製品を織物またはホットメルトの表面に表現することができる。
【００１９】
また、本発明は、予め計量された熱可塑性合成樹脂材料を金型に投入して冷却成形させるのではなく、熱可塑性合成樹脂材料が溶融した状態で金型内の意図する特定の空洞空間に完全に充填されると、不要な材料を除去した後に冷却成形させる方式を採用することにより、織物の表面またはホットメルトの表面において、熱可塑性合成樹脂材料の形状的特性および材料的特性に制限されることなく、視覚的に各色相別熱可塑性合成樹脂間の色相的な相互境界範囲が明確に区分されるか或いは熱可塑性合成樹脂材料と織物またはホットメルトとの材料的な相互境界範囲が明確に区分される熱可塑性合成樹脂製品を提供することができる。
【００２０】
また、本発明は、溶融した熱可塑性合成樹脂材料が自然に織物の組織内に染み込んで織物と一体化された状態で成形工程を経るようにし、或いはホットメルトと一体化されるようにすることにより、別途の接着剤を用いることなく、堅固な接着耐久性を持つ熱可塑性合成樹脂製品を製造することができるようにする。
【００２１】
また、本発明は、デザインがいくら複雑な形状からなるとしても、予め成形された熱可塑性合成樹脂製品を裁断し、これを織物またはホットメルトに接着することに要求される複雑な工程を経ることなく、単一の冷却成形工程のみでこれを織物の表面またはホットメルトの表面に一体型に容易に実現することができるようにする。
【００２２】
また、本発明は、熱可塑性合成樹脂がホットメルトと一体に製造される場合、製造された熱可塑性合成樹脂製品が加熱によって被接着物に容易に接着できるようにする。
【図面の簡単な説明】
【００２３】
【図１】本発明の一実施例に係る製造方法の概略工程図である。
【図２】図１の一部の工程を説明するための概略構成図である。
【図３】図１の一部の工程を説明するための概略構成図である。
【図４】図１の一部の工程を説明するための概略構成図である。
【図５】図１の一部の工程を説明するための概略構成図である。
【図６】図１の一部の工程を説明するための概略構成図である。
【図７】本発明の他の実施例に係る製造方法の概略工程図である。
【図８】図７の一部の工程を説明するための概略構成図である。
【図９】図７の一部の工程を説明するための概略構成図である。
【図１０】図７の一部の工程を説明するための概略構成図である。
【図１１】図７の一部の工程を説明するための概略構成図である。
【図１２】図７の一部の工程を説明するための概略構成図である。
【図１３】図７の一部の工程を説明するための概略構成図である。
【図１４】図７の一部の工程を説明するための概略構成図である。
【図１５】本発明の別の実施例に係る製造方法の概略工程図である。
【図１６】図１５の一部の工程を説明するための概略構成図である。
【図１７】図１５の一部の工程を説明するための概略構成図である。
【図１８】図１５の一部の工程を説明するための概略構成図である。
【図１９】図１５の一部の工程を説明するための概略構成図である。
【図２０】図１５の一部の工程を説明するための概略構成図である。
【図２１】図１５の一部の工程を説明するための概略構成図である。
【図２２】本発明の別の実施例に係る製造方法の概略工程図である。
【図２３】図２２の一部の工程を説明するための概略構成図である。
【図２４】図２２の一部の工程を説明するための概略構成図である。
【図２５】図２２の一部の工程を説明するための概略構成図である。
【図２６】図２２の一部の工程を説明するための概略構成図である。
【図２７】図２２の一部の工程を説明するための概略構成図である。
【図２８】図２２の一部の工程を説明するための概略構成図である。
【図２９】図２２の一部の工程を説明するための概略構成図である。
【図３０】図２２の一部の工程を説明するための概略構成図である。
【図３１】図２２の一部の工程を説明するための概略構成図である。
【図３２】本発明の別の実施例に係る製造方法の概略工程図である。
【図３３】図３２の一部の工程を説明するための概略構成図である。
【図３４】図３２の一部の工程を説明するための概略構成図である。
【図３５】図３２の一部の工程を説明するための概略構成図である。
【図３６】図３２の一部の工程を説明するための概略構成図である。
【図３７】図３２の一部の工程を説明するための概略構成図である。
【図３８】図３２の一部の工程を説明するための概略構成図である。
【図３９】図３２の一部の工程を説明するための概略構成図である。
【図４０】図３２の一部の工程を説明するための概略構成図である。
【発明を実施するための形態】
【００２４】
以下、本発明に係る好適な実施例を添付図面に基づいて詳細に説明する。本発明の実施例を説明するにあたり、本発明の技術的特徴との直接的な関連性がない事項、本発明の属する技術分野における通常の知識を有する者に自明な事項、および各実施例で重複適用できる部分についてはその詳細な説明を省略する。
【００２５】
本発明に係る熱可塑性合成樹脂製品の製造方法に対する好適な一実施例が図１に示されている。図示のごとく、本発明は、金型を準備する段階（Ｓ１１０）、金型に熱可塑性合成樹脂材料を充填する段階（Ｓ１３２、Ｓ１３６）、金型を加熱する段階（Ｓ１４０）、金型を開放する段階（Ｓ１５０）、材料中の一部を除去する段階（Ｓ１７０）、織物またはホットメルトの中から選ばれるいずれか一つを配置する段階（Ｓ１８０）、および織物またはホットメルトの中から選ばれるいずれか一つに接する成形材料をこれらと共に架橋冷却成形する段階（Ｓ１９０）を含んでなる。
【００２６】
前記金型の内部には、任意の形状の内部空間が備えられる。前記金型の内部空間は、後述の熱可塑性合成樹脂材料が充填される空洞であって、陰刻に形成されることが好ましい。本発明によって形成される金型の空洞は、その数に応じて単一形状の空洞または複数の空洞からなり、その構造に応じて空洞の空間が平面形状、立体形状またはこれらの組み合わせからなる。
【００２７】
金型の空洞空間の形状が立体形状からなる場合は、内部空間が立体形状に陰刻されて形成される空洞を有する通常の金型の構成、およびこれとは異なり立体形状からなり、表面に任意の形状の陰刻空洞を有する金型コアと、内面には前記金型コアの陰刻空洞を除いた外面の形状に対応する空洞が備えられて金型コアに結合する金型本体とからなる組み合わせ金型の構成を想定することができる。金型の空洞が複数からなる場合、前記複数の空洞は互いに連結されて形成されるか、或いは複数の空洞の中から選ばれる少なくとも一つが残りの空洞と分離されて形成されるか、或いは複数の各空洞がいずれも残りの空洞それぞれと分離されて形成される。但し、これは例示に過ぎず、本発明を制限するものではない。
【００２８】
様々な形状からなる金型の空洞は、最終熱可塑性合成樹脂製品の全体外形と同様に形成されることが好ましい。本発明は、金型の空洞構造が、織物が配置される第１空洞と、前記第１空洞の表面に陰刻に形成されて熱可塑性合成樹脂材料が充填される第２空洞とからなる場合を排除しない。図２には、複数の個別空洞２が内部に形成される金型１の一例が示されている。
【００２９】
金型が準備されると、図３に示すように、金型の空洞に、任意の色相および材質からなる熱可塑性合成樹脂材料１０を充填する。空洞に充填される材料の体積（量）は、図示のごとく金型の空洞の体積より大きいことが好ましい。本発明によって金型の空洞に熱可塑性合成樹脂材料を充填する方法は、次の２つを想定することができる。その一つは、金型を開放した状態で熱可塑性合成樹脂材料を空洞に直接配置する方法であり（Ｓ１３２）、この場合に使用される材料は固相からなることが好ましい。材料が固相からなる場合、その形状は空洞の形状に対応するように形成できる。
【００３０】
もう一つは、金型を密閉させた状態で射出機の材料注入器などの装置を用いて空洞に熱可塑性合成樹脂材料を充填する方法である（Ｓ１３６）。この場合、固相の材料は、装置の内部に取り付けられる加熱手段によって低温加熱されて軟化された状態で、密閉された金型の材料注入口および材料注入路を介して空洞の空間へ供給される。本発明によって金型内の空洞に直接配置されるか或いは装置を介して供給される熱可塑性合成樹脂材料の量は、空洞の体積より大きいさえすればよく、製品に応じて任意に決定できる。これは、特に複合色相の製品を一体に冷却成形する際に、各色相別金型の内部空洞の体積と充填される材料の量とが基本的に精密な偏差範囲すらなしに正確に一致しなければならない従来の方式とは大きく区別される。
【００３１】
本発明に係る熱可塑性合成樹脂材料（ここで、熱可塑性合成樹脂材料とは、後述の第１熱可塑性合成樹脂材料および第２熱可塑性合成樹脂材料をすべて含む概念である）は、関連業界で通常使用している任意の材料の中から選択することができるのは自明である。
【００３２】
熱可塑性合成樹脂材料が金型の内部空間に充填されると、充填された材料が金型から外部へこぼれないように金型を密閉した後、一定の圧力で加圧した状態で金型を加熱する（Ｓ１４０）。金型に持続的に熱が加えられると、その熱によって溶融した熱可塑性合成樹脂材料は、相対的に金型の空洞空間のうち下部に位置する金型の空洞空間に先に充填され、過剰供給されて溶融した残りの材料は、空洞空間以外の空間である空洞の周辺部および表面に位置する。すなわち、空洞空間の体積を上回って供給された材料の剰余分は金型の空洞空間の境界から外れる。
【００３３】
加圧された状態で持続的に伝達される熱によって成形材料が軟化点を経て溶融する任意の時点に進入すると、加圧を解除し、金型を開放する（Ｓ１５０）。金型の開放は、熱可塑性合成樹脂材料が熱によって軟化点（ｓｏｆｔｅｎｉｎｇ  ｔｅｍｐ．）を経て溶融し始める粘性体への変化時点、溶融点（ｍｅｌｔｉｎｇ  ｔｅｍｐ．）を経て溶融液体に変化する時点の間、または完全に溶融液体状態の中から任意に選択して行われることが好ましい。
【００３４】
次に、開放された金型の内部から、空洞の空間に充填された部分以外の熱可塑性合成樹脂材料を除去する（Ｓ１７０）。本発明に係る不要な材料の除去は様々な方法の中から任意に選択して行うことができる。その除去方法としては、金型を一定の温度に維持しながら除去手段を用いて溶融状態の材料を除去する方法と、金型を冷却させて固相に変換した材料を加熱された除去手段によって除去する方法が挙げられる。後者の方法を選択する場合、前記除去手段の端部には、材料の最低軟化点以上の温度で加熱可能な装置が付加されてもよい。前記除去手段は一定の幅の刃であってもよい。図４には、空洞に充填された熱可塑性合成樹脂材料１２の部分を除いて、過剰供給されて空洞空間以外の部分に位置している溶融した熱可塑性合成樹脂材料１３を刃などの除去手段８によって除去するＳ１７０段階の一例が示されている。
【００３５】
また、前記不要な材料を除去する段階（Ｓ１７０）は、前記空洞空間に充填された熱可塑性合成樹脂材料を金型の空洞から脱型して不要な材料を一層奇麗に除去する方法を含むことができるのはもちろんである。これは後述の実施例においても全て同様に適用される。
【００３６】
空洞空間以外に存在する材料が除去されると、材料が空洞の空間に充填された状態で、前記金型の上面に、織物またはホットメルトの中から選ばれるいずれか一つを配置した後、金型を密閉する（Ｓ１８０）。
【００３７】
織物は、後述の架橋過程で溶融した熱可塑性合成樹脂材料が金型の内部の圧力によって浸透（ｐｅｎｅｔｒａｔｉｏｎ）または含浸（ｉｍｐｒｅｇｎａｔｉｏｎ）できる構造と組織で構成されるさえすればよいため、天然素材または合成素材の編織物または製織物のいずれか一つを選択して使用することができる。また、選択される織物は、伸縮性の有無と全く関係ないので、全く伸縮性がないか或いは少なくとも一方向に伸縮性があってもかまわない。しかも、本発明は、前記織物以外に、成形材料が浸透または含浸さえできれば、天然素材または合成素材からなる不織布、および天然皮革および織物または不織布などで加工された合成皮革も排除しない。さらに、本発明は、前記被付着材料以外に成形材料の付着さえできれば、成形材料とは軟化点または溶融点が同じまたは異なる熱可塑性樹脂フィルム、または熱可塑性樹脂フィルムなどが表面に備えられた織物、不織布などから加工された素材も排除しない。
【００３８】
また、ホットメルトは、熱可塑性合成樹脂からなるものであって、熱を加えて溶かした後、被接着材料に圧着して冷却させることにより、２つの物体を容易に接着させる接着剤として広く知られている材料である。前記ホットメルトは、その特性上、後述の加熱された金型内で溶融した熱可塑性合成樹脂材料と容易に一体化できる。前記ホットメルトは、シートまたはフィルム、不織布などの様々な形状からなり、溶融した熱可塑性合成樹脂材料の上面に配置できるのはもとより、ペレットまたは粉末（パウダー）状からなり、溶融した熱可塑性合成樹脂材料の上面に塗布されることもできる。前記ホットメルトは、ＴＰＵ（Ｔｈｅｒｍｏｐｌａｓｔｉｃ  Ｐｏｌｙｕｒｅｔｈａｎｅ）ホットメルト、ＰＡ（Ｐｏｌｙａｍｉｄｅ）ホットメルト、ＥＶＡ（Ｅｔｈａｎｅ−ｖｉｎｙｌ  ａｃｅｔａｔｅ  ｃｏｐｏｌｙｅｓｔｅｒ）ホットメルト、ＰＥＳ（Ｃｏｐｏｌｙｅｓｔｅｒ）ホットメルトなどを含んで関連分野で広く使用されている材質の中から任意に選択可能である。
【００３９】
金型内の空洞に熱可塑性合成樹脂材料１２が充填された状態で、その上面に、織物またはホットメルトの中から選ばれるいずれか一つ２０が配置された後、金型を密閉させた一例が図５に示されている。図示とは異なり、金型の構成が、表面に陰刻に形成される空洞空間を有する金型コアと、前記金型コアに結合する金型本体との組み合わせ金型からなる場合、織物またはホットメルトの中から選ばれるいずれか一つを配置するときは、軟化、溶融した材料が空洞の空間に充填された金型コアの外面全体を覆う形態であってもよく、少なくとも空洞の空間を含む外面の一部を覆う形態であってもよい。
【００４０】
次に、密閉された金型を加圧した状態で、織物またはホットメルトの中から選ばれるいずれか一つに接している熱可塑性合成樹脂材料を冷却成形する。これにより、金型の空洞と織物の表面および織物の組織内部それぞれに染み込んだ熱可塑性合成樹脂材料は、織物と一体化されながら織物に付着するか或いはホットメルトと一体化される。熱可塑性合成樹脂材料がこれらと一体化されると、加圧を解除し、金型を迅速に開放する（Ｓ１９０）。冷却成形段階が完了すると、図６に示すように、織物またはホットメルトの中から選ばれるいずれか一つ２０の表面に、任意の形状に成形された熱可塑性合成樹脂１１２を有する熱可塑性合成樹脂製品が作られる。
【００４１】
本発明によって作られる熱可塑性合成樹脂製品は、織物またはホットメルトの中から選ばれるいずれか一つと熱可塑性合成樹脂成形品との相互結合のための接着手段が全く必要ない特徴がある。それだけでなく、同一の織物またはホットメルトの中から選ばれるいずれか一つの表面上に形成される熱可塑性合成樹脂成形品の隣接部位間の外郭境界に色滲み現象が全く発生しない特徴もある。その理由は、熱可塑性合成樹脂材料を空洞に充填するに際して、材料を粘性体または溶融状態に変換させ、任意の形状からなる空洞の全空間に隙間なく充填した後、溶融状態で金型を開放し、過剰供給されて不要になった部分を別途除去する過程を経ているためである。このような方式は、従来、既に冷却成形された熱可塑性合成樹脂成形品を冷却した後、２次再圧縮成形または切断、裁断などの付加的かつ後続的な工程で２次加工して裁縫または接着して付着させる方式とは非常に区分される。よって、本発明は、様々なデザインおよび色相を有するいずれの製品でも、冷却過程後に接着などの付加工程なしで様々な形状の熱可塑性合成樹脂製品を製造することができる。
【００４２】
一方、本発明は、熱可塑性合成樹脂材料が充填された金型を加熱する前（Ｓ１４０）に離型手段を介在させ（Ｓ１２０）、金型を開放した後には介在した離型手段を除去する段階（Ｓ１６０）が付加される場合を排除しない。前記離型手段は、金型開放の際に、溶融した熱可塑性合成樹脂材料と金型の空洞の内面とが容易に分離されるようにするために使用される。材料が固相からなる場合には、材料が空洞に配置された後に離型手段を介在させることが好ましく、射出機の材料注入器を介して、軟化した熱可塑性合成樹脂材料を供給する場合には、材料が密閉金型の空洞に供給される前に離型手段を介在させることが好ましい。離型手段の例としては、高離型性フィルム、生地、または金型の内部空間に充填される材料の一部の面に対する離型性樹脂の塗布などを想定することができるが、これは単に例示に過ぎず、金型の内部面と材料との高強度の相互接着を防止し、粘性体に変換された溶融材料の表面への迅速な接近性が保障されると、様々な手段の中から選択することができるのは自明である。
【００４３】
一方、金型の内部に配置される織物またはホットメルトの中から選ばれるいずれか一つにおいて、熱可塑性合成樹脂材料に接する面以外の部分（溶融した材料に接しない反対面）は、金型の表面から持続的に加えられる熱によって損傷しうる。このために、本発明は、織物またはホットメルトの中から選ばれるいずれか一つを金型に配置した後、これらの保護手段をこれらと金型の内部面との間に介在させ（Ｓ１８２）、最終的に金型を開放した後、介在したこれらの保護手段を除去する段階（Ｓ１９２）が付加される場合を排除しない。保護手段の例としては、耐熱性樹脂フィルム、成形物、織物、または前記織物の一部の面に対する耐熱性樹脂の塗布などがありうるが、これは単に例示に過ぎず、様々な方式の中から各製品別に任意の選択することができる。
【００４４】
また、本発明は、織物を使用する場合に前記織物と熱可塑性合成樹脂材料との相互接着程度を強化させるために、織物を材料の上面に配置する前に別途の接着手段を前記材料と織物との間に介在させる場合を排除しない。前記接着手段は、冷却成形過程で織物と熱可塑性合成樹脂材料との相互接着力を強化させる手段であって、様々な接着手段の中から任意に選択することができ、その形状にも制限がない。
【００４５】
また、本発明において、織物の代わりに、ホットメルトを前記熱可塑性合成樹脂材料と一体に形成する場合、本発明によって製造された熱可塑性合成樹脂製品は、前記ホットメルトの特性のため、加熱によって被接着剤に容易に接着できるという利点がある。このような特徴は、後述の実施例においても同様に現れるのはもちろんである。
【００４６】
本発明に係る熱可塑性合成樹脂製品の製造方法に対する好適な他の実施例が図７に示されている。この実施例は、織物またはホットメルトの中から選ばれるいずれか一つの表面に、多重の色相および物性からなる熱可塑性合成樹脂成形品が備えられる製品を単一金型に製造することができる容易な方法を提供する。この実施例を説明するにあたり、前述の実施例と重複する部分、または前述の実施例の説明部分がそのまま適用できる部分はその説明を省略する。
【００４７】
まず、図８に示すように、内部に空洞２の空間が備えられる金型１を準備する（Ｓ２１０）。金型が準備されると、図９に示すように、金型の内部に備えられる空洞の中から選ばれる一部の空洞に、任意の色相からなる第１熱可塑性合成樹脂材料３０を充填する。どの空洞を選択するかは完全に任意の事項である。第１熱可塑性合成樹脂材料を選択された空洞に充填する方法は、第１材料が固相からなる場合（Ｓ２２１）と、固相の第１材料が加熱および軟化される場合（Ｓ２２２）に区別でき、これは前述と同様である。
【００４８】
選択された空洞に第１熱可塑性合成樹脂材料が充填されると、金型を密閉した後、加圧された状態で熱を加えて前記第１材料を溶融させ（Ｓ２２６）、溶融した第１材料が選択された空洞の空間に隙間なく充填されると、加圧を解除し、金型を開放する（Ｓ２２７）。次に、開放された金型の内部から、選択された空洞の空間を外れて他の部位に位置している過剰供給された第１材料を除去する（Ｓ２２８）。図１０には、除去手段８を用いて、選択された空洞に充填された第１材料３２以外の不要に過剰供給されて溶融した第１材料３３を除去する過程が示されている。
【００４９】
過剰供給されて溶融した第１材料が除去されると、図１１に示すように、金型の空洞のうち、溶融状態の第１材料が充填されていない残りの空洞の空間に、前記第１材料とは色相が異なる或いは色相および物性が異なる第２熱可塑性合成樹脂材料４０を充填し、金型を密閉して加圧した状態で熱を加えて前記第２材料を溶融させる（Ｓ２３６）。金型の残りの空洞の空間に相異なる色相の第２材料を充填する方法は、第２材料が固相からなる場合（Ｓ２３１）と、固相の第２材料が加熱および軟化される場合（Ｓ２３２）に区別でき、これは前述と同様である。
【００５０】
伝達される熱によって第２材料が軟化点を経て溶融しながら、第１材料が充填された空洞以外の残りの空洞の空間を隙間なく充填すると、金型を開放し（Ｓ２３７）、図１２に示すように、選択された空洞の空間４２を外れて他の部位に位置している過剰供給された第２材料４３を除去手段８で除去する（Ｓ２３８）。
【００５１】
次に、図１３に示すように、第１材料３２および第２材料４２それぞれが空洞に充填されている金型の上面に、織物またはホットメルトの中から選ばれるいずれか一つ５０を配置し、金型を密閉する（Ｓ２５０）。
【００５２】
金型が密閉されると、前記金型を加圧した状態で冷却成形させ、織物またはホットメルトの中から選ばれるいずれか一つに接している第１材料および第２材料それぞれを一体化させる。これにより、金型の空洞と織物の表面および織物の組織内部それぞれに染み込んだ各材料は、織物と一体化されて付着するか、或いはホットメルトと一体化される。各材料が織物の表面および内部組織に浸透して織物と一体化されるか或いはホットメルトと一体化されると、加圧を解除し、金型を迅速に開放する（Ｓ２６０）。冷却成形段階が完了すると、図１４に示すように、織物またはホットメルトの中から選ばれるいずれか一つ５０の表面に任意の形状に成形され、様々な色相および物性を有する熱可塑性合成樹脂成形品２３２、２４２が備えられる熱可塑性合成樹脂製品が作られる。
【００５３】
前述の実施例と同様に、この実施例においても、各材料が充填された金型を加熱する前に離型手段を介在させ、金型を開放した後には介在した離型手段を除去する段階が付加できる。具体的に考察すると、離型手段は、第１材料が充填される段階（Ｓ２２１、Ｓ２２２）、および第２材料が充填される段階（Ｓ２３１、Ｓ２３２）の中から選ばれるいずれか一つまたは両者のすべての段階で介在でき（Ｓ２２３）、離型手段を介在させる具体的な段階は第１材料の特性（固相または軟化）によって変わるのは、前述と同様である。離型手段が介在すると、金型が開放されるＳ２２７およびＳ２３８段階の後には介在した離型手段を除去することが好ましい（Ｓ２２４、Ｓ２３４）。
【００５４】
また、この実施例においても、伝達される熱から、金型の内部に配置される織物またはホットメルトの中から選ばれるいずれか一つを保護するために、これらを金型に配置した後に、保護手段をこれらと金型の内部面との間に介在させ（Ｓ２５２）、最終的に金型を開放した後には介在した前記保護手段を除去する段階（Ｓ２６２）が付加される場合を排除しない。
【００５５】
また、この実施例においても、織物と熱可塑性合成樹脂材料との相互接着程度を強化させるために、織物を材料の上面に配置する前に別途の接着手段を材料と織物との間に介在させる場合を排除しない。
【００５６】
本発明に係る熱可塑性合成樹脂製品の製造方法に対する好適な他の実施例が図１５に示されている。この実施例は、前述した実施例と同様に、織物またはホットメルトの中から選ばれるいずれか一つの表面に、多重色相および物性からなる熱可塑性合成樹脂成形品が備えられる製品を単一金型で製造することができる容易な方法を提供するが、前述した実施例との違いは、同一の空洞の内部に相異なる熱可塑性合成樹脂材料が充填されて熱可塑性合成樹脂成形品を実現するという点にある。この実施例を説明するにあたり、前述の実施例と重複する部分、または前述の実施例の説明部分がそのまま適用できる部分は、その説明を省略する。
【００５７】
まず、図１６に示すように、内部に空洞２の空間が備えられる金型１を準備する（Ｓ２１０）。金型が準備されると、金型の内部に備えられる空洞に、任意の色相からなる第１加熱可塑性合成樹脂材料を充填する。この実施例は、第１材料を空洞に充填する際に、空洞の体積より少ない量を充填する特徴がある。金型の全ての空洞に第１材料を各空洞の体積より少ない量で充填することができ、これとは異なり、金型の空洞の中から一部の空洞を選択した後、選択された各空洞の体積より少ない量を充填することもできる。図１７には、全ての空洞に第１材料３５を充填する前者の場合が示されている。第１材料を空洞に充填する方法は、第１材料が固相からなる場合（Ｓ２４１）と、固相の第１材料が加熱および軟化される場合（Ｓ２４３）に区別でき、これは前述と同様である。
【００５８】
空洞に第１熱可塑性合成樹脂材料が空洞の体積より少ない量で充填されると、前記第１熱可塑性合成樹脂材料の上部に第２熱可塑性合成樹脂材料を残りの空洞の体積より多い量で充填する。すなわち、金型の全ての空洞に第１材料が充填されている場合には、空洞の全体体積のうち第１材料が占める体積部分を除いた残りの空洞の体積よりさらに多い第２材料を充填する。これとは異なり、金型の一部の空洞に第１成形材料が充填されている場合には、第１成形材料が充填されている空洞および第１材料が充填されていない空き空洞にいずれも第２材料を各空洞の体積より多い量で充填する。
【００５９】
この実施例において、第１熱可塑性合成樹脂と第２熱可塑性合成樹脂それぞれは、通常の熱可塑性合成樹脂の中から任意に選択できるのはもとより、前記第２熱可塑性合成樹脂は、第１熱可塑性合成樹脂とは物性が異なる或いは色相および物性が異なるものを選択することもできる。また、本発明は、第１熱可塑性合成樹脂がホットメルトからなる場合を排除しない。第１熱可塑性合成樹脂がホットメルトからなる場合には、この実施例によって作られる製品は、下部から順次ホットメルト−熱可塑性合成樹脂−織物からなる積層構造、またはホットメルト−熱可塑性合成樹脂−ホットメルトからなる積層構造を取る。
【００６０】
図１８には、全ての空洞に第１材料３５が充填される場合を想定し、第２材料３６が充填される場合が示されている。第２材料を空洞に充填する方法は、第１材料の場合と同様に第２材料が固相からなる場合（Ｓ２４２）と、固相の第２材料が加熱および軟化される場合（Ｓ２４４）に区別できる。これは前述と同様である。但し、本発明は、場合に応じて、第１材料および第２材料がＳ２４１およびＳ２４４段階を経て金型の空洞に充填されるか或いはＳ２４３およびＳ２４２段階を経て金型の空洞に充填される場合も排除しない。
【００６１】
空洞に第１材料および第２材料が充填されると、金型を密閉した後、加圧された状態で熱を加えて前記第１材料および第２材料を同時に溶融させ（Ｓ２４６）、溶融した材料が空洞の空間に隙間なく充填されると、加圧を解除し、金型を解放する（Ｓ２４７）。次に、開放された金型の内部から、空洞空間を外れて他の部位に位置している過剰供給された第２材料を除去する（Ｓ２４８）。図１９には、除去手段８を用いて、空洞に充填された第１材料３５および第２材料３７以外の不要に過剰供給されて溶融した第２材料３８を除去する過程が示されている。
【００６２】
過剰供給された第２材料が除去されると、図２０に示すように、第１材料３５および第２材料３７それぞれが空洞に充填されている金型の上面に、織物またはホットメルトの中から選ばれるいずれか一つ５０を配置し、金型を密閉する（Ｓ２５６）。金型が密閉されると、前記金型を加圧した状態で冷却成形し、互いに接している第１材料および第２材料を一体化させると同時に、第２材料を織物の表面および織物の組織内部に浸透させるか或いはホットメルトと一体化させる。これにより、第２材料は第１材料と一体になるのはもとより、第２材料は織物に一体に付着するか或いはホットメルトと一体化される。
【００６３】
材料が一体に架橋され、第２材料が織物の表面および内部組織に浸透して織物と一体化されるか或いはホットメルトと一体化されると、加圧を解除し、金型を迅速に開放する（Ｓ２６６）。冷却成形段階が完了すると、図２１に示すように、互いに接している第１材料および第２材料が、一体化された織物またはホットメルト５０の表面に任意の形状に成形され、多様な色相および物性を持つ熱可塑性合成樹脂成形品２３５、２３７が備えられる熱可塑性合成樹脂製品が作られる。
【００６４】
前述した実施例と同様に、この実施例においても、第２材料が充填された金型を加熱する前に離型手段を介在させ、金型を開放した後には介在した離型手段を除去する段階が付加できる。具体的には、離型手段（Ｓ２４５）は第２材料が充填される段階（Ｓ２４２、Ｓ２４４）で介在でき、離型手段が介在すると、金型が開放されるＳ２４７段階後には介在した離型手段を除去することが好ましい（Ｓ２４９）。
【００６５】
また、この実施例においても、伝達される熱から、金型の内部に配置される織物またはホットメルトの中から選ばれるいずれか一つを保護するために、これらを金型に配置した後、保護手段をこれらと金型の内部面との間に介在させ（Ｓ２５８）、最終的に金型を開放した後には介在した保護手段を除去する段階（Ｓ２６８）が付加される場合を排除しない。
【００６６】
また、この実施例においても、織物と熱可塑性合成樹脂材料との相互接着程度を強化させるために、織物を材料の上面に配置する前に別途の接着手段を材料と織物との間に介在させることができるのはもちろんである。
【００６７】
本実施例において、第１熱可塑性合成樹脂がホットメルトからなる場合、前記第１熱可塑性合成樹脂がホットメルトからなっているため、本実施例によって製造される熱可塑性合成樹脂製品の表面、すなわち、第１熱可塑性合成樹脂部分の表面に各種図案がプリントされたフィルムまたはシート、すなわちホットメルト接着剤が塗布されていない転写紙などを付着させて熱を加えると、前記図案が前記第１熱可塑性合成樹脂部分の表面に転写されて多様なパターンと色相を容易に実現することができるという利点がある。
【００６８】
本発明に係る熱可塑性合成樹脂製品の製造方法に対する好適な別の実施例が図２２に示されている。この実施例は、複合金型を用いて、織物またはホットメルトの中から選ばれるいずれか一つの表面に、多重色相および物性からなる熱可塑性合成樹脂成形品が備えられる製品を製造することができるという点で、前述した実施例とは区別される。この実施例を説明するにあたり、前述の実施例と重複する部分或いは前述の実施の説明部分がそのまま適用できる部分はその説明を省略する。
【００６９】
まず、任意の形状からなる空洞の空間が備えられる第１金型を複数準備する（Ｓ３１０、Ｓ４１０）。図２３および図２６それぞれには、内部に空洞２、４が備えられる２つの金型１、３が開示されているが、準備される金型は、開示とは異なり、各空洞の形状が互いに異なるように形成できるのは勿論である。
【００７０】
金型が準備されると、図２４および図２７それぞれのように各金型の空洞の空間に熱可塑性合成樹脂材料６０、７０を充填する。各金型に充填される材料は、互いに異なる色相、或いは互いに異なる色相および物性からなることが好ましい。材料を空洞に充填する方法は、材料が固相からなる場合（Ｓ３２２、Ｓ４２２）と、固相の材料が加熱および軟化される場合（Ｓ３２６、Ｓ４２６）に区別でき、これは前述したとおりである。
【００７１】
金型の各空洞に材料が充填されると、各金型を密閉した後、加圧した状態で熱を加えて前記材料を溶融させ（Ｓ３３０、Ｓ４３０）、溶融した成形材料が金型の各空洞の空間に隙間なく充填されると金型を開放し（Ｓ３４０、Ｓ４４０）、各金型の空洞の空間を外れて他の部位に位置している過剰供給された材料を除去する（Ｓ３５０、Ｓ４５０）。図２５および図２８それぞれには、除去手段８を用いて、空洞に充填された材料６２、７２以外の不要に過剰供給されて溶融した材料６３、７３を除去する過程が示されている。
【００７２】
次に、図２９に示すように、任意の形状の空洞６が備えられる第２金型５を準備した後（Ｓ５１０）、熱可塑性合成樹脂材料が各空洞に充填された状態で前記各第１金型を第２金型の空洞に位置させ、図３０に示すように、第２金型の空洞に位置した各第１金型の上面に、織物またはホットメルトの中から選択されるいずれか一つ８０を配置し、第２金型を密閉する（Ｓ５２０）。第２金型が密閉されると、前記第２金型を加圧した状態で冷却成形して、織物またはホットメルトの中から選ばれるいずれか一つに接している各第１金型の材料それぞれを織物の表面および織物の組織内部に浸透させるか或いはホットメルトと一体化させる。これにより、第１金型の空洞と織物の表面および織物の組織内部にそれぞれ染み込んだ各材料は、織物と一体化されると同時に、織物に一体に付着するか或いはホットメルトと一体化される。第１金型の各材料が、織物の表面および内部組織に浸透して織物と一体化されるか或いはホットメルトと一体化されると、加圧を解除し、第２金型を迅速に開放する（Ｓ５３０）。冷却成形段階が完了すると、図３１に示すように、織物またはホットメルトの中から選ばれるいずれか一つ８０の表面に任意の形状に成形され、多様な色相および物性を有する熱可塑性合成樹脂成形品３６３、３７２が備えられる熱可塑性合成樹脂製品が作られる。
【００７３】
前述した実施例と同様に、この実施例においても、各材料が充填された第１金型を加熱する前に離型手段を介在させ、各第１金型を開放した後には介在した離型手段を除去する段階が付加できる。具体的には、離型手段は各第１金型に材料が充填される段階（Ｓ３２２、Ｓ３２６、Ｓ４２２、Ｓ４２６）で介在でき（Ｓ３６０、Ｓ４６０）、離型手段を介在させる具体的な段階は第１材料の特性（固相または軟化）によって異なるのは前述と同様である。離型手段が介在すると、金型が開放されるＳ３４０およびＳ４４０段階の後には介在した離型手段を除去することが好ましい（Ｓ３７０、Ｓ４７０）。
【００７４】
また、この実施例においても、伝達される熱から、金型の内部に配置される織物またはホットメルトの中から選ばれるいずれか一つを保護するために、これらを金型に配置した後、保護手段をこれらと金型の内部面との間に介在させ（Ｓ５２２）、最終的に金型を開放した後には介在した保護手段を除去する段階（Ｓ５３２）が付加される場合を排除しないのは勿論である。
【００７５】
また、この実施例においても、織物と熱可塑性合成樹脂材料との相互接着程度を強化させるために、織物を材料の上面に配置する前に別途の接着手段を材料と織物との間に介在させる場合を排除しない。
【００７６】
本発明に係る熱可塑性合成樹脂製品の製造方法に対する好適な別の実施例が図３２に示されている。この実施例は、織物またはホットメルトの中から選ばれるいずれか一つの両面に、複合色相および物性からなる熱可塑性合成樹脂成形品が備えられる製品を製造することができるという点で、前述した実施例とは異なる。この実施例を説明するにあたり、前述の実施例と重複する部分、または前述した実施例の説明部分がそのまま適用できる部分はその説明を省略する。
【００７７】
まず、任意の形状の陰刻からなる空洞が備えられる少なくとも２つの金型を準備する（Ｓ６１０、Ｓ７１０）。各金型に形成される空洞の形状は、その制限がなく、それぞれ異なる形状からなってもよい。図３３および図３６それぞれには、互いに異なる形状からなる空洞２’、４’が内部に備えられる２つの金型１’、３’が示されている。
【００７８】
金型が準備されると、図３４および図３７それぞれのように各金型の空洞の空間に熱可塑性合成樹脂材料８０、９０を充填する。各金型に充填される材料は、互いに異なる色相、または互いに異なる色相および物性からなることが好ましい。材料を空洞に充填する方法は、材料が固相からなる場合（Ｓ６２２、Ｓ７２２）と、固相の材料が加熱および軟化される場合（Ｓ６２６、Ｓ７２６）に区別でき、これは前述と同様である。
【００７９】
金型の各空洞に材料が充填されると、各金型を密閉した後、加圧した状態で熱を加えて前記材料を溶融させ（Ｓ６３０、Ｓ７３０）、溶融した材料が金型の各空洞の空間に隙間なく充填されると金型を開放し（Ｓ６４０、Ｓ７４０）、各金型の空洞の空間を外れて他の部位に位置している過剰供給された材料を除去する（Ｓ６５０、Ｓ７５０）。図３５および図３８それぞれには、除去手段８を用いて、空洞に充填された材料８２、９３以外の不要に過剰供給されて溶融した材料８３、９５を除去する過程が示されている。
【００８０】
次に、材料が金型の各空洞に充填された状態で、金型の間に、織物またはホットメルトの中から選ばれるいずれか一つを介在させた後（Ｓ８２０）、金型を合型する（Ｓ８３０）。金型の合型は、図３９に示すように、織物またはホットメルトの中から選ばれるいずれか一つ１００を境界として、各材料８２、９３が互いに対向して接する状態からなることが好ましい。金型が合型されて密閉されると、合型された金型を加圧した状態で冷却成形して、織物またはホットメルトの中から選ばれるいずれか一つに接している各金型の材料を織物の表面および織物の組織内部に浸透させるか或いはホットメルトと一体化させる。これにより、各金型の空洞と織物の表面および織物の組織内部それぞれに染み込んだ材料は一体化されると同時に、織物に一体に付着するか或いはホットメルトと一体化される。各金型の材料が、織物の表面および内部組織に浸透して織物と一体化されるかまたはホットメルトと一体化されると、加圧を解除し、合型された金型を迅速に開放する（Ｓ８４０）。冷却成形段階が完了すると、図４０に示すように、織物またはホットメルトの中から選ばれるいずれか一つ１００の両面に任意の形状に成形され、多様な色相および物性を持つ熱可塑性合成樹脂成形品４８２、４９３が一体に備えられる製品が実現される。
【００８１】
前述した実施例と同様に、この実施例においても、材料が充填された各金型を加熱する前に離型手段を介在させ、各金型を開放した後には介在した離型手段を除去する段階が付加できる。具体的には、離型手段は各金型に材料が充填される段階（Ｓ６２２、Ｓ６２６、Ｓ７２２、Ｓ７２６）で介在でき（Ｓ６６０、Ｓ７６０）、離型手段を介在させる具体的な段階は第１材料の特性（固相または軟化）によって異なるのは前述と同様である。離型手段が介在すると、金型が開放されるＳ６４０およびＳ７４０段階後には介在した離型手段を除去することが好ましい（Ｓ６７０、Ｓ７７０）。
【００８２】
また、この実施例においても、伝達される熱から、金型の内部に配置される織物またはホットメルトの中から選ばれるいずれか一つを保護するために、これらを金型に配置した後に保護手段をこれらと金型の内部面との間に介在させ（Ｓ８３２）、最終的に金型を開放した後には介在した保護手段を除去する段階（Ｓ８４２）が付加される場合を排除しない。
【００８３】
また、この実施例においても、織物と熱可塑性合成樹脂材料との相互接着程度を強化させるために、織物を材料の上面に配置する前に別途の接着手段を材料と織物との間に介在させる場合を排除しない。
【００８４】
以上、本発明の好適な実施例に限定して説明したが、これらは単に例示に過ぎない。本発明は、これらの実施例に限定されず、様々な方法で変更されて実施でき、開示された技術的思想に基づいて別途の技術的特徴が付加されて実施できるのは自明である。
【図１】
0005900780.tif 000002
【図２】
0005900780.tif 000003
【図３】
0005900780.tif 000004
【図４】
0005900780.tif 000005
【図５】
0005900780.tif 000006
【図６】
0005900780.tif 000007
【図７】
0005900780.tif 000008
【図８】
0005900780.tif 000009
【図９】
0005900780.tif 000010
【図１０】
0005900780.tif 000011
【図１１】
0005900780.tif 000012
【図１２】
0005900780.tif 000013
【図１３】
0005900780.tif 000014
【図１４】
0005900780.tif 000015
【図１５】
0005900780.tif 000016
【図１６】
0005900780.tif 000017
【図１７】
0005900780.tif 000018
【図１８】
0005900780.tif 000019
【図１９】
0005900780.tif 000020
【図２０】
0005900780.tif 000021
【図２１】
0005900780.tif 000022
【図２２】
0005900780.tif 000023
【図２３】
0005900780.tif 000024
【図２４】
0005900780.tif 000025
【図２５】
0005900780.tif 000026
【図２６】
0005900780.tif 000027
【図２７】
0005900780.tif 000028
【図２８】
0005900780.tif 000029
【図２９】
0005900780.tif 000030
【図３０】
0005900780.tif 000031
【図３１】
0005900780.tif 000032
【図３２】
0005900780.tif 000033
【図３３】
0005900780.tif 000034
【図３４】
0005900780.tif 000035
【図３５】
0005900780.tif 000036
【図３６】
0005900780.tif 000037
【図３７】
0005900780.tif 000038
【図３８】
0005900780.tif 000039
【図３９】
0005900780.tif 000040
【図４０】
0005900780.tif 000041